(57)【特許請求の範囲】
【請求項１】
小窓を有する把持部と、
前記把持部の外部に突出され、付勢手段によって前記把持部の外方向に付勢される第１スライド部と、
前記第１スライド部のスライドに連動して該第１スライド部とは反対方向にスライド可能であり、前記小窓を通じて鍵の施解錠状態を表示可能な施解錠表示部を有する第２スライド部と、
前記把持部の回転に連動して重力により移動可能な第１可動体と、
前記第１可動体に連動して作動し前記第２スライド部のスライド量を規制することが可能な第２可動体と、を備え、
前記把持部の回転に連動して前記第１可動体が前記第１スライド部のスライド方向に直交する方向へ重力により落下するとともに、該第１可動体が前記第２可動体を作動させて該第２可動体が前記第２スライド部のスライド量を規制することにより、該第２スライド部が施錠位置または解錠位置に保持され、かつ該第２スライド部の前記施解錠表示部が前記施解錠状態を表示するように構成したことを特徴とする、
施解錠表示機能付き鍵。
【請求項２】
錠前の鍵穴に抜き差しされる鍵ブランクと、
該鍵ブランクに結合され内部に空間を形成した把持部と、
該把持部の内部空間に設けた施解錠表示手段と、を具備する施解錠表示機能付き鍵であって、
前記施解錠表示手段を、前記鍵ブランクの長手軸線における延長上の前記内部空間に設けたボール体、該ボール体の移動を許容して保持する保持部、該保持部に対向する前記把持部に形成され、前記保持部を移動する前記ボール体を解錠位置および施錠位置へガイドする案内溝、および該保持部と係脱自在に設けられ前記鍵ブランクが抜き差しされる方向に直交する方向に移動可能なスライダで形成し、
前記鍵ブランクを前記錠前の鍵穴に差し込んで施解錠操作するときのみ、前記スライダが前記保持部に対する係合から解脱する一方で、前記保持部と前記スライダとによる前記ボール体の拘束が解除され、前記鍵ブランクの回転に連動して前記スライダと共に前記ボール体が前記鍵ブランクの挿入方向に対して直交する方向へ重力により落下することにより、前記ボール体が施錠位置または解錠位置に移動して保持されるように構成したことを特徴とする、
施解錠表示機能付き鍵。
【請求項３】
錠前の鍵穴に抜き差しされる鍵ブランクと、
該鍵ブランクに結合され内部に空間を形成した把持部と、
該把持部の内部空間に設けた施解錠表示手段と、
該施解錠表示手段に係脱する係脱作動手段と、を具備する施解錠表示機能付き鍵であって、
前記施解錠表示手段を、前記鍵ブランクの長手軸線における延長上の前記内部空間に設けたボール体、前記長手軸線に直交する方向に指向すると共に該ボール体を着座させる保持部、該保持部に対向する前記把持部に形成され、前記保持部を移動する前記ボール体を解錠位置および施錠位置へガイドする案内溝、および該保持部と係脱可能に設けられ前記長手軸線に対して直交する方向に移動可能なスライダで形成し、
施解錠操作をしないとき、前記スライダは前記保持部と前記係脱作動手段との間に挟持されて移動を拘束され、かつ、前記ボール体は前記保持部および前記スライダにより移動を拘束され、前記鍵ブランクを鍵穴に差し込んで施錠操作または解錠操作をするときには、前記係脱作動手段が前記錠前に衝合することにより、前記係脱作動手段が前記スライダから離反して前記スライダの拘束を解除し、かつ、鍵ブランクの回転に連動して前記スライダと共にボール体が重力により落下することにより、前記ボール体が前記案内溝にガイドされて解錠位置または施錠位置に移動し、前記スライダおよび前記保持部により拘束保持されるように構成したことを特徴とする、
施解錠表示機能付き鍵。
【請求項４】
前記ボール体を、第１ボールと第２ボールとの二個で形成したことを特徴とする、
請求項２または３に記載の施解錠表示機能付き鍵。
【請求項５】
前記保持部の中央部に、前記第１ボールまたは前記第２ボールのいずれか一のボールのみを滞留させる位置決め溝を形成し、前記案内溝を、該位置決め溝に対向する位置に存する中央溝部と、該中央溝部の両側に左右対称な形状を有する第１溝部と第２溝部とで形成し、前記いずれか一のボールが前記位置決め溝に滞留するとき、いずれか他のボールを前記第１溝部または第２溝部に填り込ませることを特徴とする、
請求項４に記載の施解錠表示機能付き鍵。
【請求項６】
前記案内溝の前記第１溝部および第２溝部は、前記中央溝部からそれぞれ二股状に伸びることを特徴とする、
請求項５に記載の施解錠表示機能付き鍵。
【請求項７】
前記スライダは、その両端にフランジを対向配置させたＣ型チャンネル形状を有し、前記スライダが前記保持部の端面に衝合して停止するとき、前記いずれか一方のフランジは前記第１溝部または前記第２溝部の溝を塞ぐように前進し、いずれか他方のフランジは前記第２溝部または前記第１溝部から後退するように構成されたことを特徴とする、
請求項５または６に記載の施解錠表示機能付き鍵。
【請求項８】
前記把持部に、前記保持部と協働して前記第１ボールおよび前記第２ボールを前記案内溝から脱落しないように覆う透かし窓を設けたことを特徴とする、
請求項４〜７のいずれかに記載の施解錠表示機能付き鍵。
【請求項９】
内部空間にボール体が内蔵され、かつ、小窓を有する把持部と、
該把持部の内部に設けられ、前記ボール体に対する圧迫を解放して前記ボール体の移動を許容せしめるパンタグラフ型のリンク機構を有する係脱作動手段と、
該係脱作動手段に連動可能に設けられ前記小窓を通して施解錠の状態を表示する施解錠表示手段と、を具備する施解錠表示機能付き鍵であって、
前記施解錠表示手段を、前記係脱作動手段の上方に前記把持部の軸線方向に突設された突起手段にガイドされ前記係脱作動手段に浮動的な状態で支持した前記ボール体の受容可能なボールガイドと、該ボール体を挟んで前記ボールガイドに対向する位置に配設され、前記軸線に直交する方向に重力によりスライドするスライドプレートとで構成し、
施解錠を行わないときには、前記ボール体は、前記ボールガイドと前記スライドプレートとの間に挟持される態様で拘束されるか、または、前記係脱作動手段と前記スライドプレートとの間に挟持される態様で拘束され、施解錠を行うときには、前記いずれか一の態様の拘束状態が解除され、前記ボール体および前記スライドプレートを前記軸線に直交する方向へ重力により移動することにより、前記ボール体をいずれか他の拘束状態で保持し、かつ、前記小窓を通して施解錠状態を表示するように構成されたことを特徴とする、
施解錠表示機能付き鍵。
【発明の詳細な説明】
【技術分野】
【０００１】
本発明は、鍵を錠前の鍵穴へ挿入するときに、表裏（上下）に関係なく、すなわち持ち替えることなく鍵穴に挿入可能な施解錠表示機能付き鍵に関する。
【背景技術】
【０００２】
従来、施解錠表示機能付き鍵に関する技術として、例えば、特許文献１に記載のものがある。この特許文献１に記載の技術は、鍵の挿入方向に対して直交する方向に小球が移動できる溝形状部を備え、その溝形状部内に小球を設け、かつ、鍵の挿入方向に対して平行にバネの付勢力に抗して可動する突起部と一体であるスライド板を設け、溝形状部中央部にスライド板の突起部が行き来できるスリットを設けた構成である。係る構成により、施解錠操作するときに、突起部が溝形状部から逃げ、小球が一方の位置から他方の位置へ落下して移動し、移動した後、鍵を鍵穴から抜き去ることで、ばねの付勢力により突起部が溝形状部に復帰して小球を他方の位置に保持する。これにより、鍵を解錠状態から施錠状態へ操作した場合には、小球は解錠状態を表示する位置から施錠状態を表示する位置へ移動し、施錠状態から解錠状態へ操作する場合には、小球を施錠状態の位置から解錠状態を表示する位置へ移動できる。
【特許文献１】特開２００６−１６９４６号公報
【発明の開示】
【発明が解決しようとする課題】
【０００３】
しかしながら、上記特許文献１の鍵にあっては、鍵を解錠状態から施錠状態へ操作した場合には、小球は解錠状態を表示する位置から施錠状態を表示する位置へ移動し、施錠状態から解錠状態へ操作する場合には、小球は施錠状態の位置から解錠状態を表示する位置へ移動するようになっているが、これを表裏（上下）に関係なく使用する、すなわち、リバーシブル型の鍵として使用する場合には、構造上の関係から小球の移動による施解錠の状態を表示できないという問題がある。
【０００４】
本発明は、このような問題点を解決するためになされたものであって、表裏施解錠表示機能付き鍵においても、施解錠操作を行ったときに、施錠または解錠のいずれの操作を行ったかを表示できる施解錠表示機能付き鍵を提供することを課題としている。
【課題を解決するための手段】
【０００５】
（１）本発明は、リバーシブル鍵ブランクに結合された把持部の内部空間に、移動可能な可動体を収納し、施解錠操作時に前記リバーシブル鍵ブランクを回転させることにより、前記可動体を重力で移動させて保持し、その保持された位置に応じて施錠または解錠の位置が表示されるように構成されたことを特徴とする、施解錠表示機能付き鍵である。
【０００６】
このような構成によれば、リバーシブル鍵ブランク、すなわち、リバーシブル鍵を錠前の鍵穴の差し込んで回転し、施錠または解錠操作を行うとき、可動体が重力により移動する。移動を終えた後の可動体はその位置で保持されることで、リバーシブル鍵が施錠操作または解錠操作されたことを表示できる。係る表示は鍵をリバーシブルに使用することを可能にするので、特にリーバシブル（左右勝手のない）鍵ブランクに好適であり、利便性に優れた施解錠表示機能付き鍵を得ることができるようになる。
【０００７】
(２)本発明は、鍵ブランクに結合された把持部(つまみ部分)の内部空間に、錠前に対する鍵ブランクの差し込み方向に直交する方向に移動可能なボール体を収納し、施解錠操作時に前記鍵ブランクを回転させることにより、前記ボール体を重力で移動させて保持し、その保持された位置が施錠または解錠の位置であることを表示することを特徴とする施解錠表示機能付き鍵である。
【０００８】
このような構成によれば、鍵ブランク、すなわち、鍵を錠前の鍵穴の差し込んで回転し、施錠または解錠操作を行うとき、鍵ブランクの挿入方向に直交する方向に、ボール体が重力により移動する。移動を終えた後のボール体はその位置で保持されることで、鍵が施錠操作または解錠操作されたことを表示できる。係る表示は鍵をリバーシブルに使用することを可能にするので、利便性に優れた施解錠表示機能付き鍵を得ることができるようになる。
【０００９】
(３)本発明はまた、錠前の鍵穴に抜き差しされる鍵ブランクと、該鍵ブランクに結合され内部に空間を形成した把持部と、該把持部の内部空間に設けた施解錠表示手段とを具備する施解錠表示機能付き鍵であって、前記施解錠表示手段を、前記鍵ブランクの長手軸線における延長上の前記内部空間に設けたボール体、該ボール体の移動を許容して保持する保持部、該保持部に対向する前記把持部に形成され、前記保持部を移動する前記ボール体を解錠位置および施錠位置へガイドする案内溝、および該保持部と係脱自在に設けられ前記鍵ブランクが抜き差しされる方向に直交する方向に移動可能なスライダで形成し、前記鍵ブランクを前記錠前の鍵穴に差し込んで施解錠操作するときのみ、前記スライダが前記保持部に対する係合から解脱する一方で、前記保持部と前記スライダとによる前記ボール体の拘束が解除され、前記鍵ブランクの回転に連動して前記スライダと共にボール体が鍵ブランクの挿入方向に対して直交する方向へ重力により落下することにより、前記ボール体が施錠位置または解錠位置に移動して保持されるように構成したことを特徴とする施解錠表示機能付き鍵である。
【００１０】
このような構成によれば、把持部に施解錠表示手段に設けたので、鍵を使用しない状態では、ボール体はスライダと保持部とで移動を拘束され、解錠状態または施錠状態を維持されている。施解錠操作を行うときには、スライダが保持部に対する係合から解脱（解除）され、フリー状態となったスライダは鍵の抜き差しされる方向に直交する方向にスライドする。換言すると、スライダは重力により移動すると、これに応動して、保持部に拘束されていたボール体も拘束が解除され、重力により保持部に沿って移動する。移動した後に、鍵を鍵穴から抜くと、スライダは重力で落下した位置で保持部に拘束される。これにより、ボール体が施錠位置または解錠位置に移動して保持されるので、施錠または解錠操作した状態をボール体が保持される位置で表示できる。係る施解錠表示は、施解錠表示機能付き鍵に装備されるので、利便性に優れた施解錠表示機能付き鍵を得ることができる。
【００１１】
(４)本発明はまた、錠前の鍵穴に抜き差しされる鍵ブランクと、該鍵ブランクに結合され内部に空間を形成した把持部と、該把持部の内部空間に設けた施解錠表示手段と、該施解錠表示手段に係脱する係脱作動手段とを具備した施解錠表示機能付き鍵であって、前記施解錠表示手段を、前記鍵ブランクの長手軸線における延長上の前記内部空間に設けたボール体、前記長手軸線に直交する方向に指向すると共に該ボール体を着座させる保持部、該保持部に対向する前記把持部に形成され、前記保持部を移動する前記ボール体を解錠位置および施錠位置へガイドする案内溝、および該保持部と係脱可能に設けられ前記長手軸線に対して直交する方向に移動可能なスライダで形成し、施解錠操作をしないとき、前記スライダは前記保持部と前記係脱作動手段との間に挟持されて移動を拘束され、かつ、前記ボール体は前記保持部および前記スライダにより移動を拘束され、前記鍵ブランクを鍵穴に差し込んで施錠操作または解錠操作をするときには、前記係脱作動手段が前記錠前に衝合することにより、前記係脱作動手段が前記スライダから離反して前記スライダの拘束を解除し、かつ、鍵ブランクの回転に連動して前記スライダと共にボール体が重力により落下することにより、前記ボール体が前記案内溝にガイドされて解錠位置または施錠位置に移動し、前記スライダおよび前記保持部により拘束保持されるように構成したことを特徴とする施解錠表示機能付き鍵である。
【００１２】
このような構成によれば、把持部に施解錠表示手段を設けたので、施解錠操作をしないとき（鍵を使用しない状態においては）、スライダはボール体と保持部との間に挟持され、ボール体の移動が拘束される。施解錠操作を行うときは、係脱作動手段によりスライダは保持部からフリーの状態となり、鍵の差し込み方向に直交する方向へ重力により移動する。これに応動して、ボール体も拘束が解除され、案内溝にガイドされながら重力により下方へ落下するように移動する。その後、鍵を鍵穴から抜くことで、スライダは再び係脱作動手段により保持部との間に挟持され、ボール体は施錠状態または解錠状態の位置を移動しないようにスライダと保持部により拘束される。これにより、施解錠の状態が表示できるようになる。
【００１３】
(５)本発明はまた、前記保持部を移動する前記ボール体は、第１ボールと第２ボールとの二個で形成したことを特徴とする、前記(３)または(４)に記載の施解錠表示機能付き鍵である。
【００１４】
このような構成によれば、第１ボールおよび第２ボールは、重力を受けて移動するとき、二個のボールが互いに衝合（玉突き）しあいながら案内溝に沿って移動する。このため、鍵を素早く施解錠操作するときでも、各ボールは案内溝にガイドされて円滑かつスピーディに所定の操作状態を表示する位置へ移動できる。これにより、施解錠操作性に優れた施解錠表示機能付き鍵を得ることができるようになる。
【００１５】
(６)本発明はまた、前記保持部の中央部に、前記第１ボールまたは前記第２ボールのいずれか一のボールのみを滞留させる位置決め溝を形成し、前記案内溝を、該位置決め溝に対向する位置に存する中央溝部と、該中央溝部の両側に左右対称な形状を有する第１溝部と第２溝部とで形成し、前記いずれか一のボールが前記位置決め溝に滞留するとき、いずれか他のボールを前記第１溝部または第２溝部に填り込ませることを特徴とする、前記(５)記載の施解錠表示機能付き鍵である。
【００１６】
このような構成によれば、ボールが重力により移動するとき、第１、第２両ボールのうち、いずれか一のボールは保持部に形成した位置決め溝に填り込み、いずれか他のボールは把持部に形成された第１溝部または第２溝部に填り込む。これにより、各ボールは施解錠操作に応じた状態で保持部およびスライダで移動が拘束され、施解錠を表示できるようになる。
【００１７】
(７)本発明はまた、前記案内溝の前記第１溝部および第２溝部は、前記中央溝部からそれぞれ二股状に伸びることを特徴とする、前記(６)記載の施解錠表示機能付き鍵である。
【００１８】
このような構成によれば、第１溝部における二股状のいずれかの溝、または第２溝部における二股状のいずれかの溝に、第１ボールまたは第２ボールが移動して填り込んで施解錠の表示ができるようになっている。このため、鍵をリバーシブルに使用するときでも、施解錠の状態を表示でき、利便性を増すことが可能となる。
【００１９】
(８)本発明はまた、前記スライダは、その両端にフランジを対向配置させたＣ型チャンネル形状を有し、前記スライダが前記保持部の端面に衝合して停止するとき、前記いずれか一方のフランジは前記第１溝部または第２溝部の溝を塞ぐように前進し、いずれか他方のフランジは第２溝部または第１溝部から後退するように構成されたことを特徴とする、前記(５)〜(７)のいずれかに記載の施解錠表示機能付き鍵である。
【００２０】
このような構成によれば、保持部はスライダの移動を規制するストッパとして機能し、フランジは第１ボールまたは第２ボールの移動を拘束するストッパとして機能する。このため、鍵の把持部を水平方向にして鍵穴に差し込んだ状態から９０度回転させるとき、一方のフランジは第１溝部または第２溝部を塞ぐように下降（前進）し、他方のフランジは第２溝部または第１溝部から見えない位置に下降（後退）する。したがって、施解錠操作時に、水平状態の把持部（鍵）を９０度回転させると、重力で移動するスライダは保持部に衝合して停止する。このとき、上方に存する一方のフランジは第１溝部または第２溝部に臨む位置、すなわち、中央溝部近傍まで下降（前進）してくる。その一方で、下方に存する他方のフランジは第２溝部または第１溝部にから隠れるようにして完全に後退する。この結果、重力で落下してくる第１ボールまたは第２ボールは第２溝部または第１溝部に填り込んで受け止められる。次いで、把持部（鍵）を９０度反対側に回転して水平状態に復帰させると、第１ボールまたは第２ボールのうち、一のボールは第２溝部または第１溝部に填り込み、他のボールは中央溝部に填り込んだ状態となる。すなわち、第１ボールおよび第２ボールは第１溝部または第２溝部のいずれか一方の溝部と中央溝部とに填り込んだ状態となり、施錠または解錠のいずれの操作が行われたかを表示できるようになる。
【００２１】
(９)本発明はまた、前記把持部に、前記保持部と協働して前記第１ボールおよび第２ボールを前記案内溝から脱落しないように覆う透かし窓を設けたことを特徴とする前記(５)〜(８)のいずれかに記載の施解錠表示機能付き鍵である。
【００２２】
このような構成によれば、ボールがどの溝部に填りこんでいるかを、透かし窓を通して視認できので、施解錠を確実に目視により確認できるようになる。
【００２３】
(１０)本発明はまた、前記係脱作動手段は、前記把持部に対して前記鍵ブランクの長手軸線上でスライドする前記鍵ブランク側の第１スライド部と前記スライダ側の第２スライド部、該第１、第２両スライド部の間に設けたパンタグラフ型の合成樹脂製のリンク機構部、および、バネ部材とで形成され、施解錠操作をしないときは、前記バネ部材のバネ力により付勢された前記第２スライド部と前記保持部との間に前記スライダが挟持されて移動が拘束されるが、施解錠操作をするときには、前記バネ部材のバネ力に抗して前記スライダの拘束が解除されることを特徴とする、前記(５)〜(９)のいずれかに記載の施解錠表示機能付き鍵である。
【００２４】
このような構成によれば、係脱作動手段の一構成要素をパンタグラフ型のリンク機構部で形成したので、施解錠表示機能付き鍵を制作するのに好都合となる。
【００２５】
(１１)本発明はまた、前記リンク機構部は、前記第１スライド部との間に薄肉で形成した第１ヒンジと、リンク機構自体に薄肉で形成した第２ヒンジと、前記第２スライド部との間に薄肉で形成した第３ヒンジとを有することを特徴とする前記(１０)記載の施解錠表示機能付き鍵である。
【００２６】
このような構成によれば、リンク機構に形成した第１ヒンジ、第２ヒンジ、および第３ヒンジは合成樹脂材による薄肉で形成した関節として機能する。このため、リンク機構が把持部の内部空間でパンタグラフのように二つの第２ヒンジが互いに離反するように外側に屈曲したり、二つの第２ヒンジが内側へ接近して伸張したりでき、これにより第２スライド部をスライダを収納する内部空間へ出没させることができる。その結果、係脱作動手段周りにおける把持部の内部構造を簡易化でき、信頼性ある作動を実現できる。
【００２７】
(１２)本発明はまた、施解錠の状態を表示する表示部を有する把持部の内部空間に、パンタグラフ機構を有する係脱作動手段と、鍵を回動させる軸線に対して直交する方向に重力により移動するボール体とを設け、施解錠時にのみ、前記パンタグラフ機構の作動により、前記係脱作動手段の前記ボールに対する拘束を解放して前記ボール体を移動させると共に、新しい位置に移動した前記ボール体を、前記係脱作動手段により拘束することにより、前記表示部に施錠または解錠が行われたことを表示することを特徴とする施錠確認表示機能付き鍵である。
【００２８】
本発明に係る施錠確認表示機能付き鍵における把持部（つまみ部）によれば、その内部に、施解錠操作に応じて移動可能なボール体を設けたので、どのような形態の鍵ブランクにも対応して、把持部を取り付けることが可能となる利点がある。
【００２９】
(１３)本発明はまた、内部空間にボール体が内蔵され、かつ、小窓を有する把持部と、該把持部の内部に設けられ、前記ボール体に対する圧迫を解放して前記ボール体の移動を許容せしめるパンタグラフ型のリンク機構を有する係脱作動手段と、該係脱作動手段に連動可能に設けられ前記小窓を通して施解錠の状態を表示する施解錠表示手段と、を具備する施解錠表示機能付き鍵であって、前記施解錠表示手段を、前記係脱作動手段の上方に前記把持部の軸線方向に突設された突起手段にガイドされ前記係脱作動手段に浮動的な状態で支持した前記ボール体の受容可能なボールガイドと、該ボール体を挟んで前記ボールガイドに対向する位置に配設され、前記軸線に直交する方向に重力によりスライドするスライドプレートとで構成し、施解錠を行わないときには、前記ボール体は、前記ボールガイドと前記スライドプレートとの間に挟持される態様で拘束されるか、または、前記係脱作動手段と前記スライドプレートとの間に挟持される態様で拘束され、施解錠を行うときには、前記いずれか一の拘束状態が解除され、前記ボール体および前記スライドプレートが前記軸線に直交する方向へ重力により移動することにより、前記ボール体をいずれか他の拘束状態で保持し、かつ、前記小窓を通して施解錠状態を表示するように構成されたことを特徴とする、施解錠表示機能付き鍵である。
【００３０】
本発明によれば、施解錠を行わないときには、ボール体は、ボールガイドとスライドプレートとの間に挟持される態様で拘束されるか、または、係脱作動手段とスライドプレートとの間に挟持される態様で拘束され、施解錠を行うときには、いずれか一の拘束状態が解除され、ボール体および前記スライドプレートが軸線に直交する方向へ重力により移動する。移動後のボール体をいずれか他の拘束状態で保持すると、施解錠操作後の新しい施解錠状態に状態変化をさせることができる。このとき、施解錠の状態は、常に、把持部の内部で作動する係脱作動手段の変位状態が小窓を通して外部から視認することで、施解錠のいずれの操作が行われたかを確認することができて便利である。
【発明の効果】
【００３１】
本発明によれば、鍵を表裏（上下）に関係なく使用できるリバーシブル型鍵にも適用でき、鍵を素早く回して施解錠してもボール体を誤作動させることなく確実に所定の位置へ拘束して保持することで、施錠または解錠状態を表示でき、信頼性に優れた施解錠表示機能付き鍵を得ることができる。
【発明を実施するための最良の形態】
【００３２】
以下、本発明の実施の形態を図を参照して詳述する。図１〜図５は本願発明の第１実施の形態に係る施解錠表示機能付き鍵に係り、図１は施解錠表示機能付き鍵の外観正面図、図２は施解錠表示機能付き鍵の内部構造を示す図１の縦断面、図３は図１の矢印ＩＩＩからみた施解錠表示機能付き鍵の頭部を拡大して示す外観拡大斜視図、図４は上記頭部の内部構造を拡大して示す外観斜視図、図５はリンク機構部を示す外観斜視図である。
【００３３】
本第１実施の形態の施解錠表示機能付き鍵（以下、単に「鍵」ともいう）１０は、主として、鍵ブランク２０と、鍵ブランク２０と一体に結合された把持部(つまみ部分)３０と、把持部３０の内部空間に設けた施解錠表示手段４０と、施解錠表示手段４０に係脱する係脱作動手段５０とを主要な構成要素として構成される。
【００３４】
鍵ブランク２０は、加工し易く耐摩耗性を有する金属、例えば、洋白等から形成され、不図示の錠前の鍵穴に挿し込んで所要角度回動して施解錠を行う。本実施の形態の場合、鍵１０は水平な状態にして鍵穴に差し込み、この状態から時計回り（右）または半時計回り（左）へ９０度だけ回転することで施解錠操作ができるリバーシブル鍵である。
【００３５】
把持部３０は、合成樹脂材料、例えば、ＡＢＳから所要中空形形状に成形される。把持部３０は、ケース本体３１と、これを覆うカバー３２とでなり、ケース本体３１にカバー３２を被着することで、把持部３０に内部空間が形成される。この内部空間には、後述するリンク機構部５３の第１スライド部５１をスライド自在に支持する第１ガイド口３３と、第２スライド部５２をスライド自在に支持する第２ガイド部３４と、リンク機構部５３の動作を円滑にする案内突起３５，３６と、バネ部材５４を保持し、かつ、ロッド部５５をスライド可能に支持するバネホルダ兼スライダガイド３７と、後述される施解錠表示手段４０とリンク機構部５３を収納する室とを区画する仕切壁３８と、ボール体４２，４３を保持する保持部４１とが形成されている。
【００３６】
上記第１ガイド口３３，第２ガイド部３４，案内突起３５，３６，バネホルダ兼スライダガイド３７、仕切壁３８、および保持部４１は、ケース本体３１又はカバー３２のいずれか一方の内面より突出形成され、かつ、いずれか他方の内面に係合することで所定の強度が確保されるようになっている。
【００３７】
なお、把持部３０は合成樹脂材で形成したが、アルミダイキャスト、粉末冶金で焼成して成形するなど、他の樹脂以外の素材を用いて形成することも可能である。
【００３８】
施解錠表示手段４０は、図２に示す鍵ブランク２０の長手軸線Ｌにおける延長上の、施解錠表示手段４０の機能部を形成する内部空間に設けた第１ボール４２、４３でなる金属製小球のボール体と、該ボール体の移動を許容すると共にボール体を着座させて保持する保持部４１と、保持部４１に対向する把持部３０頭部に形成した案内溝４４と、長手方向Ｌに直交する方向に移動可能で、保持部４１に係脱可能に設けた金属製または合成樹脂製のスライダ４５とで形成される。
【００３９】
施解錠表示手段４０をより具体的に説明する。図２〜図４において、保持部４１はケース本体３１から棚板状に突出し、その奥行き幅は二個のボール４２，４３を並列して着座支持できる寸法を有し、その中央部、すなわち、長手軸線Ｌ上にボール体４２，４３を受容しうる凹状の位置決め溝４１ａが設けられている。これにより、保持部４１上を、すなわち、位置決め溝４１ａを通過してボール体が左右へ移動（転動）できるようになっている。
【００４０】
案内溝４４は図３に示すように、位置決め溝４１ａの上方に対向する位置に存する中央溝部４４ａを有し、該中央溝部４４ａの両側に左右対称に二股状に伸びる第１溝部４４ｂと第２溝部４４ｃとが形成される。これら各溝部４４ｂ、４４ｃの溝幅は第１ボール４２，第２ボール４３の移動を円滑にするため、直径よりもやや大きく形成される。これにより、鍵１０を長手軸線Ｌ回りに回転させることで、保持部４１上を移動（転動）するボール体４２，４３は重力により、四つ葉クローバーに近似した形状をなす案内溝４４にガイドされて円滑に移動できるようになっている。なお、位置決め溝４１ａに着座するボール体は中央溝部４４ａによりいずれか一のボール体のみ保持できるようになっている。
【００４１】
案内溝４４の上方には、図１，図３に示すように、合成樹脂製の透かし窓４６が設けられ、ボール体４２，４３が外部へ脱落するのを防止し、かつ、ボール体が第１、第２両溝部４４ｂ、４４ｃのいずれの溝部に移動したかを視認できるようになっている。
【００４２】
また、案内溝４４の近傍には、施解錠操作の状態を示すための、例えば、「開」、「閉」という文字を印刷した表示シール４４ｄ、４４ｅ等が貼り付けられている。これは、第１ボール４２あるいは第２ボール４３のいずれかが第１溝部４４ｂまたは第２溝部４４ｃに填り込んだ場合に、填り込んだ側にある文字表示を視認することで、鍵の施解錠操作がいずれの側に操作されたかを確認することができるようになっている。なお、表示シール４４ｄ，４４ｅは図３以外の図には煩雑を回避するため、その図示を割愛している。
【００４３】
施解錠表示手段４０の一構成要素である上記スライダ４５は、図４に示すように保持部４１の長さよりも大きな寸法を有するＣ型チャンネル形状をなし、主体部４５ｂと、その両側から立ち上がる脚部４５ｃと、両脚部４５ｃから対向して屈曲させたフランジ４５ａとを有する。主体部４５ｂは、把持部３０側の仕切壁３８と保持部４１との間に微少間隙を存して左右へ移動可能にセットされている。換言すると、スライダ４５は保持部４１に対してフリーな状態にあるときは、長手軸線Ｌ方向（上下方向）には保持部４１と仕切壁３８との間のギャップＧの分だけ上下動が可能であり、長手軸線Ｌに直交する方向には、すなわち保持部４１の方向には、いずれか一方の脚部４５ｃが保持部４１に当接するまでのギャップＨの分だけスライドできるようになっている。これにより、鍵１０が長手軸線Ｌを回転中心に回転操作（施解錠操作）されるとき、スライダ４５はその重力により保持部４１と仕切壁３８とにガイドされて、ギャップＧおよびＨだけ上下左右に移動できる。
【００４４】
また、スライダ４５が保持部４１に対してスライドし、いずれか一方の脚部４５ｃが保持部４１に当接して停止するとき、いずれか一方のフランジ４５ａは第１溝部４４ｂまたは第２溝部４４ｃを塞ぐように前進し、フランジ４５ａの自由端はほぼ位置決め溝４１ａ近傍まで前進し、いずれか他方のフランジ４５ａは第２溝部４４ｃまたは第１溝部４４ｂから後退できるようになっている。すなわち、フランジ４５ａが前進することで、位置決め溝４１ａに存するボール体を中央溝部４４ａで保持し、フランジ４５ａが後退することで、第１溝部４４ｂまたは第２溝部４４ｃで保持できるようにしている。
【００４５】
施解錠表示手段４０は上記のように構成されているので、例えば、図２のように施解錠操作された場合には、スライダ４５およびボール体４２，４３が重力で移動する。落下するボール体は第１溝部４４ｂまたは第２溝部４４ｃで、より具体的には第１、第２両溝部のうち、二股状にあるいずれかの枝溝に填り込んで受け止められる。一方、位置決め溝４１ａに対応する中央溝部４４ａに滞留するボール体４２（または４３）は、保持部４１に衝合した側のフランジ４５ａに当接することでボール体の移動が中央溝部４４ａで拘束される。これにより、上記枝溝に填り込んだボール体は中央溝部４４ａに填り込むボール体に邪魔されるので、他の枝溝へ移動するのを阻止される。この結果、施解錠操作の表示をボール体がどの溝に填り込んでいるかを視認することで行うことができる。
【００４６】
次に、主として図２，図５を参照して係脱作動手段５０を説明する。係脱作動手段５０は、第１ガイド口３３にスライド可能に支持される第１スライド部５１と、第２ガイド口３４にスライド可能に支持される第２スライド部５２と、第１、第２両スライド部５１，５２の間に設けたパンタグラフ型のリンク機構部５３と、第１スライド部５１とバネホルダ兼スライダガイド３７との間に縮設したコイル状のバネ部材５４とで形成される。バネ部材５４以外の係脱作動手段５０の各構成要素は、すべてポリプロピレン等の合成樹脂材料で成形される。
【００４７】
第１スライド部５１は、鍵ブランク２０の基部に重ねられるように設けられ、その半部が把持部３０から外部へ出っ張り、錠前に押しつけることができるようになっている第１スライド部５１が錠前に押しつけることで、把持部３０内へスライドできる。
【００４８】
第２スライド部５２は、長手軸線Ｌに沿って配置したバネホルダ兼スライダガイド３７と第２スライド部３４とにスライド可能に設けられる。
【００４９】
リンク機構部５３は、ほぼＬ型の第１リンク５３ａと第２リンク５３ｂとを有し、第１リンク５３ａは薄肉の弾性変形を利用したポリプロピレンヒンジ（ＰＰヒンジ）である第１ヒンジＰ１を介して第１スライド部５１に、第１リンク５３ａは第２ヒンジＰ２を介して第２リンク５３ｂに、さらに第２リンク５３ｂは第３ヒンジＰ３を介して第２スライド部５２にそれぞれ結合される。リンク機構部５３の各部位は長手軸線Ｌに対して左右対称に配置されパンタグラフ型のリンク機構を形成する。
【００５０】
第１リンク５３ａには、第１ヒンジＰ１に結合される屈曲部５３ｃが形成され、施解錠操作をしない通常時は、ガイド口３３に着座する。
【００５１】
ケース本体３１には、案内突起３５，３６が突設され、案内突起３５は第１リンク５３ａに設けた角部５３ｄに係脱することで第１リンク５３ａの動きを規制し、また、案内突起３６は第２リンク５３ｂの動きを規制するようになっている。
【００５２】
こうして、図２に示すように、鍵ブランク２０を一体に結合した把持部３０のケース本体３１に、リンク機構部５３、バネ部材５４，ボール体４２，４３、およびスライダ４５等を適宜に装填してセットする。そして、ケース本体３１の上からカバー３２で蓋をすることで、施解錠表示手段４０を組み込んだ施解錠表示機能付き鍵１０を制作できる。
【００５３】
施解錠表示機能付き鍵１０は、リンク機構部５３にバネ部材５４の付勢力が常時作用するため、施解錠操作に伴う操作力（第１スライド部５１を錠前に押しつける力））が第１スライド部５１に作用したとき、第１スライド部５１はバネ部材５４の付勢力に抗して把持部３０内へ押し込められる。このとき、各ヒンジＰ１〜Ｐ３は関節として機能するので、リンク機構部５３は、案内突起５２，５３に当接してその動きを規制されながらパンタグラフ運動を行う。すなわち、リンク機構部５３が屈曲することで、第１、第２両スライド部５１，５２間の距離が縮められ、あるいは逆に伸張することで該距離が長くなったりする。
【００５４】
換言すると、施解錠操作を行わないときには、リンク機構部５３は図２のように伸張状態にあるので、第２スライド部５２はスライダ４５を介して保持部４１に弾接する。その結果、スライダ４５は保持部４１に対して摩擦抵抗によりその動きが拘束され、ボール体４２，４３は中央溝部４４ａと、第１溝部４４ｂまたは第２溝部４４ｃのいずれかに一方の溝部とに填り込んだ状態で移動が拘束される。施解錠操作を行うときは、錠前に第１スライド部５１が押しつけられることにより生じる操作力により、リンク機構部５３は図７のように、バネ部材５４の付勢力に抗して屈曲する。その結果、第２スライド部５２をスライダ４５から離脱（離反）させ、スライダ４５の拘束は解除されてフリーとなり、ボール体の拘束状態も解除され、移動可能な状態となる。
【００５５】
実施の形態について鍵の施解錠操作を、図２，図３、図６〜図１０に基づいて説明する。なお、本実施の形態では、錠前の鍵穴に鍵の把持部３０を水平に把持した状態で挿入し、その状態から９０度の角度で時計回りに、あるいは半時計回りに回転して使用するタイプの施解錠表示機能付き鍵について説明するが、これ以外に例えば上下に把持した状態で挿入して使用する形態の鍵にも適用できるものである。
【００５６】
図６(Ａ)は図３を矢印Ｘ方向からみた状態を模式的に示した作用説明図、すなわち、施解錠表示機能付き鍵１０における把持部３０の頭部を上からみた状態を模式的に示した作用説明図であり、同図(Ａ)に続く(Ｂ)〜(Ｊ)に至る各図は同様に、施解錠操作に応じて位置が変化するボール体４２，４３、およびフランジ４５ａの移動を説明する作用説明図である。また、図６の各図に付した符号ａ１およびｂ２は、図３に示す案内溝４４の第１溝部４４ｂの溝部を、符号ａ２およびｂ１は、第２溝部４４ｃの溝部をそれぞれ表すが、第１溝部や第２溝部の指称は相対的なもので、入れ替えても成立可能なものである。以下の説明では、煩雑を避けるため単に溝ａ１、ａ２、ｂ１，あるいはｂ２と呼ぶものとする。同様に、第１ボール４２，第２ボール４３を総称する場合には「ボール体」、個別に称する場合には「一のボール」、「他のボール」、あるいは「ボール」と適宜に使い分けて表現することとする。なお、図６の各図に示すハッチングの部分はスライダ４５のフランジ４５ａを表す。さらに、図６(Ａ)におけるＡ−Ａ線の矢視断面図は、図２の縦断面図が相当するものとする。
【００５７】
(解錠状態の鍵を差し込むも錠前に押し付けない場合)
先ず、図２，図３に示すように，ボール体が解錠を示す位置にあり、かつ、施解錠操作を行わない場合にあるときは、リンク機構部５３は図２に示す状態にあり、第２スライド部５２によりスライダ４５は保持部４１に圧着され、スライダ４５の移動は拘束される。したがって、図６(Ａ)に示すように、一のボールは溝ｂ１で受容され、他のボールは位置決め溝４１ａに存し、かつ、左方のフランジ４５ａと中央溝部４４ａとで支持される。その結果、ボール体は保持部４１上で拘束されることとなり、鍵をどのように傾け、動かしても拘束状態を維持し続ける。以下、図６(Ａ)〜(Ｃ)の操作順序を説明していく。
【００５８】
(解錠状態の鍵を錠前に押しつけた場合)
図６(Ａ)に示されるように、鍵１０を錠前に差し込んで錠前におしつけると、図７に示すように、リンク機構部５３はバネ部材５４の付勢力に抗して屈曲し、第２スライド部５２はスライダ４５から後退して離間し、保持部４１に対してフリーとなる。
【００５９】
(解錠状態から施錠状態に操作する場合)
図６(Ａ)の鍵を左へ９０°回転させると、図６(Ｂ)および図８に示すように、スライダ４５および一他両ボールは重力により。鍵ブランク２０の長手軸線Ｌに直交する方向、すなわち、下方へ移動して溝ａ１，ｂ２に填り込む。
【００６０】
この状態から鍵を右側へ９０°回転して水平に戻すと、図６(Ｃ)および図９に示すように、一のボールは溝ａ１に、他のボールは中央溝部４４ａに填り込む。係る状態で鍵を鍵穴から引き抜くと、バネ部材５４の付勢力により、リンク機構部５３は図１０に示されるように伸張し、スライダ４５は第２スライド部５２により保持部４１に挟持され、スライダ４５の移動はロックされる。このため、中央溝部４４ａに存するボールは、右側にあるフランジ４５ａにより中央溝部４４ａから脱落するのを阻止され、図(Ｃ)に示す状態を維持し続ける。この結果、ボールは溝ａ１に填り込んでいるので、閉、すなわち鍵により施錠状態への操作が完了したことをユーザーに表示できる。
【００６１】
(Ａ→Ｄ→Ｅの操作順序)
上記と同様に、図６(Ａ)の状態の鍵を右側へ９０°回転すると、図６(Ｄ)のように中央溝部４４ａのボールは重力で長手軸線Ｌに直交する方向へ移動して溝ａ２に入り込む。図(Ｄ)の状態から鍵を左へ９０°回転すると、(Ｅ)に示すように、溝ａ２のボールは重力で再び中央溝部４４ａに落ち込み、図６(Ａ)の状態に復帰する。すなわち、解錠状態の鍵を開方向へ回転操作しても、解錠状態を表示し続けることとなる。
【００６２】
(Ａ→Ｆ→Ｇ→Ｈの操作順序)
次に、リバーシブルな使用における施解錠の作用を説明する。図(Ａ)の状態にある鍵を１８０°回転して鍵穴に挿入すると、図(Ｆ)に示す状態となる。すなわち、溝ｂ１のボールは中央溝部４４ａのボールに邪魔されるので、溝ｂ１に填り込んだままとなる。この状態から鍵を９０°左側へ回転させると、図(Ｇ)のように一他両ボールは重力作用を受けて溝ａ２、ｂ１に落下する。これを右側へ９０°回転すると、溝ｂ１のボールが中央溝部４４ａへ落ち込み、図(Ｈ)に示すような状態となる。ボールは解錠表示を示す側の溝ａ２に填り込んでいるので、鍵が解錠操作されたことをユーザーに表示できる。
【００６３】
(Ｆ→Ｉ→Ｊの操作順序)
図(Ｆ)の状態から鍵を右へ９０°回転すると、重力によりスライダ４５および一他両ボールは下方へ移動し、両ボールは図(Ｉ)のように溝ａ１，ｂ２に填り込む。次いで、鍵を左へ９０°回転すると、図(Ｊ)に示されるように、溝ａ１のボールは中央溝部４４ａへ落ち込む。「閉」の状態を示す側の溝ｂ２にボールが填り込んでいることから、ユーザーに施錠状態に操作されていることを表示できる。
【００６４】
本第１実施の形態に係る施解錠表示機能付き鍵１０によれば、透かし窓４６を通してボール体４２，４３の動きをボール体を脱落させることなく視認できる。したがって、その一のボール、あるいは他のボールが溝ａ１，ａ２，ｂ１，ｂ２のいずれの溝に填り込んでいるかを視認することで、鍵が施錠または解錠のいずれの操作状態にあるかをユーザーは知ることができるので便利である。しかも、図６(Ｃ)および(Ｊ)では施錠状態を、図(Ｅ)および(Ｈ)では解錠状態にあることを表示する、すなわち、第１溝部の溝ａ１あるいは溝ｂ２にボール体が存するときは施錠状態にあることを表示し、第２溝部である溝ａ２または溝ｂ１にボール体が填り込んでいる場合には解錠状態を表示するので、リバーシブル型鍵にも本発明を適用でき、利便性を増大させることができる。
【００６５】
また、本第１実施の形態によれば、重力作用を利用してボール体４２，４３を移動させるようにしているので、鍵１０の回転を素早く行う場合でも、施解錠表示手段４０を形成する案内溝４４、保持部４１、およびスライダ４５の協働作用により、ボール体の移動を安定的なものにし、位置ずれするのを確実に回避でき、したがって、迅速な操作性に優れ、誤作動の生じない、信頼性に優れた施解錠表示機能付き鍵を得ることができる。
【００６６】
次に、本発明の第２実施の形態を図１１〜図１５に基づいて説明する。なお、上記第１実施の形態と同一または均等の部材、部分については、第１実施の形態に付されたと同じ符号を付し、その詳細説明を割愛することとする。
【００６７】
本第２実施の形態では、把持部３０に、第１実施の形態におけるパンタグラフ機構と同じリンク機構部５３を備えた係脱作動手段５０が内蔵され、それにより、リンク機構部５３の屈伸により第１ボール４２および第２ボール４３に対する圧迫(拘束)を解放(解除)してボール体の移動(転動)を許容し、圧迫することでボール体の移動を拘束するという係脱作動手段の基本構造の点では共通するが、施解錠表示手段において大きく構成を相違する。換言すると、第１実施の形態における施解錠表示手段４０においては、ボール体４２，４３を把持部３０に一体に形成した保持部４１上に移動可能に支持させたが、本第２実施の形態に係る施解錠表示手段９０では、長手軸線Ｌに移動しうるボールガイド９４にボール体を支持させる点、また、第１実施の形態では、スライダ４５は長手軸線Ｌに直交する方向にスライドするだけでなく、軸線Ｌ方向へも遊びを存して移動可能に形成されたが、本第２実施の形態のスライドプレート９６は長手軸線Ｌに直交する方向にスライドのみが許容される構成としている点、さらに、第１実施の形態では、スライダ４５のスライドを保持部４１で規制したのに対して、本第２実施の形態では、第２スライド部５２に突起手段９３を設け、スライドプレート９６がスライドするスライド量を、突起手段９３に係止させることで規定するように構成している点で主に相違する。
【００６８】
本第２実施の形態における施解錠表示手段９０をより具体的に説明していくこととする。施解錠表示手段９０は、図１２に示す表示部９１と図１５で示す把持部３０に設けた小窓９２と、図１２の第２スライド部５２に突設した突起手段９３と、図１３に示される突起手段９３を介してガイドされ、第２スライド部５２に浮動的に設けたボールガイド９４と、ボールガイド９４に受容される第１ボール９５ａおよび第２ボール９５ｂで形成されるボール体９５、これらボール９５ａ、９５ｂを挟んでボールガイド９４に対向する位置に配置され、かつ、図１１に示す長手軸線Ｌに直交する方向へ重力によりスライドするスライドプレート９６とから構成される。
【００６９】
上記把持部３０のほぼ中央に設けた小窓９２に対応して、長手軸線Ｌ方向へ変位する表示部９１が対面する。表示部９１には上半部(ハッチングで示した部分)９１ａと下半部(ドットで表示した部分)９１ｂとが、例えば緑色と柿色というように区分して色分け表示され、いずれか一方の色が小窓９２を通して見えるときには施錠状態を、いずれか他方の色が視認されるときには解錠状態を表示するものとし、係る色を視認することで、鍵保持者に鍵が施錠あるいは解錠のいずれの状態に操作されているかを告知するようになっている。
【００７０】
第２スライド部５２の上部に形成した長方形の輪郭を備えた平坦部５２ａには、３種類の高さの異なる各一対で形成される第１〜第３突起部９３ａ、９３ｂ、９３ｃが長手軸線Ｌ方向に指向して突設される。第１突起部９３ａは平坦部５２ａの中央に対向配置され、長手軸線Ｌに直交する面における断面がわずかに湾曲面を呈する。第２突起部９３ｂは、第１突起部９３ａよりも背が低い横断面六角形状の形状を有し、かつ、相対向する一対の第１突起部９３ａを斜めによぎるようにしてクロス配置される。第３突起部９３ｃは、平坦部５２ａの両端面で対向配置され、第１、第２両突起部９３ａ、９３ｂよりも長さ(高さ)が一番長く(高く)形成される。第１、第３の各突起部９３ａ、９３ｃの自由端(上端)は先細り形状に形成されるが、第２突起部９３ｂの尖り度合いは、前二者のものよりも低く、ボール体９５の周面の一部に面接触が可能な程度の面が形成される。
ボールガイド９４には、図１３によく示されるように、直方体形状を有し、上記の第１突起部９３ａを遊挿する円弧状をなす一対の第１貫通穴９４ａと、上記第２突起部９３ｂを遊挿する六角形状の一対の第２貫通穴９４ｂと、ボール体９５を転動(移動)させるＸ字状のガイド溝９４ｃとが形成される。ガイド溝９４ｃの底部に、上記第１、第２の貫通穴９４ａ、９４ｂが存するようになっている。
【００７１】
ガイド溝９４ｃは、上記第１実施の形態の場合と同様に、鍵１０が施解錠のどの操作状態にあっても、いずれか一方のボールはスライドプレート９６により必ず第１突起部９３ａに近接して留まる、すなわちボールガイドの中央部に停留し、いずれか他方のボールはそれ以外の部分に存在するように形成される。
【００７２】
一方、図１２(ｃ)の点線で示すように、ボールガイド９４を平坦部５２ａに組み込んだ場合において、第１貫通穴９４ａに対する第１突起部９３ａは、リンク機構５３の作動により平坦部５２ａがどのような位置にあっても、第１貫通穴９４ａに係合している。このため、ボールガイド９４は常に第１突起部９３ａにガイドされる状態で係合する。ボールガイド９４は一対の第１突起部９３ａにより相対移動可能に支持されるので、把持部３０が長手軸線Ｌ回りに回動されても、ボールガイド９４は長手軸線Ｌから位置ずれしてふらつくことなく、第１突起部９３ａに浮動的にガイドされる態様で係合され、ボール体９５のみが重力によりガイド溝９４ｃに案内されて転動する。
【００７３】
他方、ボール体９５のいずれか一は、一対の第１突起部９３ａ間に抱持されるように滞留することが可能であり、いずれか他のボール体が六角形状の第２貫通穴９４ｂ上に滞留するときは、下から突き上げられてくる第２突起部９３ｂはボール体が邪魔になって第２貫通穴９４ｂへの進入が阻止されるようになっている。なお、図１３(ｂ)における符号９４ｄは、表示部９１の上端縁との干渉を回避する逃げ凹部を示す。
【００７４】
スライドプレート９６は図１１に示すように、長手軸線Ｌに直交する方向に設けた案内仕切り壁３８ａに沿って移動するように設けられ、かつ、図１２(ｃ)に示すように、ボール体９５を挟む態様でボールガイド９４に対向するように配設される。スライドプレート９６は、図１４および図１５(ｂ)に示すように、第１突起部９３ａおよび第２突起部９３ｂの進入を許容する矩形状の進入角穴９６ａと、第１突起部９３ａに滞留するボール体をボールガイド９４と協働して挟持する押圧部９６ｂと、第３突起部９３ｃが進入可能なストッパ角穴９６ｃとが形成される。これにより、スライドプレート９６が施解錠操作時に重力で落下してスライドしても、第３突起部９３ｃがストッパ角穴９６ｃに進入して係合することで、スライドプレート９６がスライドする移動量が規定される。
【００７５】
第２実施の形態の作用について説明する。図１１(ａ)〜(ｃ)は把持部３０の内部構造の概要を模式的に図示した構成図である。同図(ａ)のように、鍵１０を錠前の鍵穴に深く挿入した場合には、これに応じてリンク機構部５３はバネ部材５４のバネ力に抗して強制的に屈曲する。これにより、第２スライド部５２はボールガイド９４から離反するので、ボールガイド９４とスライドプレート９６との間に挟持されて動きを拘束されていた第１ボール９５ａおよび第２ボール９５ｂは拘束から解放され、重力により自由にスライドして動きうる状態となる。これと同時にスライドプレート９６も重力により自由に動きうる状態となる。
【００７６】
図１１(ｂ)のように、第１ボール９５ａがボールガイド９４のガイド溝９４ｃの中央部に、第２ボール９５ｂが第２貫通穴９４ｂの形成されていないガイド溝とに位置する場合には、リンク機構部５３は、図１１(ｃ)に示すようにバネ部材５４のバネ力により、長手軸線Ｌ方向へ最大限に伸張する。これにより、第１突起部９３ａは第１貫通穴９４ａを貫通し、第２突起部９３ｂは第２貫通穴９４ｂに進入して貫通する。また、第３突起部９３は、ストッパ角穴９３ｃを進入して貫通する。スライドプレート９６は、ボールガイド９４と，第１ボール９５ａおよび第２ボール９５ｂとを介して案内仕切り壁３８ａ(図１１(ｃ)参照)に押圧され、把持部３０に摩擦係合し、スライドプレート９６のスライド移動が拘束される。これにより、ボール９５ａ，９５ｂは、リンク機構部５３を介して作用するバネ部材５４のバネ力により、ボールガイド９４とスライドプレート９６との間で挟圧された状態に維持され、鍵をどのように傾け、あるいは動かしても、小窓９２を通して下半部の表示部(ドットにより図示した部分)９１ｂによるカラー表示、つまり、施錠状態あるいは解錠状態を強制的に維持し続けることができる。
【００７７】
また、図１１(ｄ)に示すように、第１ボール９５ａがガイド溝９４ｃの中央部に、第２ボール９５ｂが六角形状の第２貫通穴９４ｂが形成される溝部に滞留する場合には、図１１(ｅ)のように、第２突起部９３ｂは第２ボール９５ｂに遮られて第２貫通穴９４ｂへの進入が妨げられる。これにより、スライドプレート９６は、ボールガイド９４と、第２突起部９３ｃと、第２ボール９５ｂ（この場合は、第１ボール９５ａは関与しない）とを介して案内仕切り壁３８ａに押圧され、スライドプレート９６のスライド移動がロックされる。この結果、リンク機構部５３は第２ボール９５ｂの直径に相当する分だけその伸張量が減少した状態で、第２ボール９５ｂはボールガイド９４とスライドプレート９６との間に挟持されると同時に、小窓９２には下半部９１ｂから上半部(ハッチング部)９１ａに変化したカラー表示を表示し、解錠状態あるいは施錠状態を強制的に維持するようになる。
【００７８】
上記したように本第２実施の形態によれば、図１６(Ａ)の水平状態にある把持部を左へ９０°回転させると、重力によりボール体９５とスライドプレート９６は下方へ移動する。このとき、ボール体はガイド溝９４ｃを同図(Ｂ)のように移動する。次いで、右へ９０°回転させると、ボール体は同図(Ｃ)に示すような配置となる。このとき、ガイド溝９４ｃの中央に存するボールＢは、スライドプレート９６により溝Ｃへ落ちるのが防止される。これにより、(Ａ)が施錠状態にあるとした場合には、施錠状態にあった鍵は(Ｃ)で示すように解錠状態に操作されたことになる。
【００７９】
また、把持部を(Ａ)の状態から右へ９０°回転させると、ボール体は(Ｄ)のように移動し、次いで、左へ９０°回転させると、ボール体のガイド溝９４ｃに対する位置関係は図１６(Ｅ)に示すようになるが、(Ａ)と同じ位置関係となり、施解錠操作が行われていないのと同等となる。
【００８０】
このように、施錠確認表示機能付き鍵１０の施解錠操作により、小窓９２を通して表示部９１がその都度切り替わって変化することで、施錠確認表示機能付き鍵が施錠状態にあるか、解錠状態にあるかを容易に判断でき便利である。
【００８１】
本発明は、上記実施の形態に限られるものではなく、その趣旨及び技術思想を逸脱しない範囲で種々の変形が可能である。
【産業上の利用可能性】
【００８２】
本発明は、建物用ドア等を施錠・解錠する施解錠表示機能付き鍵として利用される。
【図面の簡単な説明】
【００８３】
【図１】本発明の第１実施の形態に係る施解錠表示機能付き鍵の外観正面図である。
【図２】施解錠表示機能付き鍵の内部構造を示す図１の縦断面である。
【図３】図１の矢印ＩＩＩからみた施解錠表示機能付き鍵の頭部を拡大して示す外観拡大斜視図である。
【図４】上記頭部の内部構造を拡大して示す外観斜視図である。
【図５】上記第１実施の形態におけるリンク機構部を示す外観斜視図である。
【図６】上記第１実施の形態の施解錠表示手段を模式的に示した作用説明図である。
【図７】図６(Ａ)に対応する鍵の縦断面図である。
【図８】図６(Ｂ)に対応する鍵の縦断面図である。
【図９】図６(Ｃ)において鍵を鍵穴に押し込んだ状態にある鍵の縦断面図である。
【図１０】図６(Ｃ)の鍵を鍵穴から抜いた状態にある鍵の縦断面図である。
【図１１】本発明の第２実施の形態に係る施錠確認表示機能付き鍵の内部構造を模式的に表した図であり、(ａ)は鍵を最後まで挿入した状態を示す把持部の内部構造を示す説明図、(ｂ)は(ｃ)におけるボールとボールガイドとの関係を示す説明図、(ｃ)は(ａ)と同様に内部構造を示す説明図、(ｄ)は(ｅ)におけるボールとボールガイドとの関係を示す説明図、(ｅ)は内部構造を示す説明図である。
【図１２】第２実施の形態の係脱作動手段に係り、(ａ)は外観斜視図、(ｂ)は(ａ)の反対側からみた外観斜視図、(ｃ)は正面図、(ｄ)は平面図、(ｅ)は側面図、(ｆ)は(ｃ)の背面図である。
【図１３】第２実施の形態のボールガイドに係り、(ａ)は外観斜視図、(ｂ)は反対側からみた外観斜視図、(ｃ)は正面図、(ｄ)は(ｃ)のＡ−Ａ線における矢視断面図である。
【図１４】第２実施の形態のスライドプレートに係り、(ａ)は外観斜視図、(ｂ)は正面図、(ｃ)は上面図、(ｄ)は側面図である。
【図１５】(ａ)は第２実施の形態の施錠確認表示機能付き鍵における把持部の外観図、(ｂ)はボールガイドとスライドプレートとの相対関係を示す説明図である。
【図１６】第２実施の形態に係り、施解錠操作時におけるボール体とボールガイドとの相対位置の変化を模式的に示した作用説明図である。
【符号の説明】
【００８４】
１０  施解錠表示機能付き鍵
２０  鍵ブランク
３０  把持部
３１  ケース本体
３２  カバー
３３  第１ガイド口
３４  第２ガイド口
３５，３６  案内突起
３７  バネホルダ兼スライダガイド
３８ａ  案内仕切り壁
４０  施解錠表示手段
４１  保持部
４１ａ  位置決め溝
４２  第１ボール（ボール体）
４３  第２ボール（ボール体）
４４  案内溝
４４ａ  中央溝部
４４ｂ  第１溝部
４４ｃ  第２溝部
４４ｄ，４４ｅ  表示シール
４５  スライダ
４５ａ  フランジ
４５ｂ  主体部
４６  透かし窓
５０  係脱作動手段
５１  第１スライド部
５２  第２スライド部
５２ａ  平坦部
５３  リンク機構部
５３ａ  第１リンク
５３ｂ  第２リンク
５３ｃ  屈曲部
５４  バネ部材
９０  施解錠表示手段
９１  表示部
９２  小窓
９３  突起手段
９３ａ  第１突起部
９３ｂ  第２突起部
９３ｃ  第３突起部
９４  ボールガイド
９４ａ  第１貫通穴
９４ｂ  第２貫通穴
９４ｃ  ガイド溝
９５  ボール体  
９５ａ  第１ボール
９５ｂ  第２ボール
９６  スライドプレート
Ｌ  長手軸線
Ｐ１  第１ヒンジ
Ｐ２  第２ヒンジ
Ｐ３  第３ヒンジ
【図１】
0005401640.tif 000002
【図２】
0005401640.tif 000003
【図３】
0005401640.tif 000004
【図４】
0005401640.tif 000005
【図５】
0005401640.tif 000006
【図６】
0005401640.tif 000007
【図７】
0005401640.tif 000008
【図８】
0005401640.tif 000009
【図９】
0005401640.tif 000010
【図１０】
0005401640.tif 000011
【図１１】
0005401640.tif 000012
【図１２】
0005401640.tif 000013
【図１３】
0005401640.tif 000014
【図１４】
0005401640.tif 000015
【図１５】
0005401640.tif 000016
【図１６】
0005401640.tif 000017